(57)【要約】【課題】遊技媒体を使用する遊技機を交換しても、遊技中に遊技媒体を払い出す払出装置の共通使用化を図る。【解決手段】払出装置２とパチンコ機３と貸出装置４とが互いに別々に分離された形態に構成されており、払出装置２とパチンコ機３と貸出装置４とが遊技機設置設備１に設置された場合、払出制御装置１２と遊技制御装置２２とが配線で互いに通信可能に接続され、払出制御装置１２と貸出制御装置２９との通信は遊技者の貸出操作部２３の操作に起因して発生し、払出制御装置１２と遊技制御装置２２との通信は入賞部品３２への球の入賞に起因して発生し、パチンコ機３を交換しても、払出装置２や貸出装置４を交換することなく、交換後の新たな遊技制御装置２２と交換しない払出制御装置１２との接続を行うことで、払出装置２が共通に使用できる。【選択図】        図１
2004201747.tif 000002
【特許請求の範囲】
【請求項１】
遊技媒体を払い出す払出装置と払出装置から払い出された遊技媒体を用いる遊技機とが互いに別々に分離した形態に構成される一方、払出装置が遊技媒体の払出機構と払出機構を制御する払出制御装置とを備え、遊技機が払出装置から払い出された遊技媒体を受け取る受皿と受皿からの遊技媒体を用いた遊技結果の賞として遊技媒体の払い出しを制御する遊技制御装置とを備え、払出制御装置と遊技制御装置とが互いに通信可能に接続されたことを特徴とする遊技設備。
【請求項２】
遊技媒体を払い出す払出装置と払出装置から払い出された遊技媒体を用いる遊技機とが互いに別々に分離した形態に構成される一方、払出装置が遊技媒体の払出機構と払出機構を制御する払出制御装置と有価物の挿入口と挿入された有価物による制御を行う貸出制御装置とを備え、遊技機が払出装置から払い出された遊技媒体を受け取る受皿と受皿からの遊技媒体を用いた遊技結果の賞として遊技媒体の払い出しを制御する遊技制御装置とを備え、払出制御装置と遊技制御装置とが互いに通信可能に接続される一方、払出制御装置と貸出制御装置とが互いに通信可能に接続されたことを特徴とする遊技設備。
【請求項３】
払出制御装置と貸出制御装置とが単一体に形成されたことを特徴とする請求項２記載の遊技設備。
【請求項４】
遊技媒体を払い出す払出装置と払出装置から払い出された遊技媒体を用いる遊技機と払出装置に遊技媒体の貸し出しを促す貸出装置とが互いに別々に分離した形態に構成される一方、払出装置が遊技媒体の払出機構と払出機構を制御する払出制御装置とを備え、遊技機が払出装置から払い出された遊技媒体を受け取る受皿と受皿からの遊技媒体を用いた遊技結果の賞として遊技媒体の払い出しを制御する遊技制御装置とを備え、貸出装置が有価物の挿入口と挿入された有価物による制御を行う貸出制御装置とを備え、払出制御装置と遊技制御装置とが互いに通信可能に接続される一方、払出制御装置と貸出制御装置とが互いに通信可能に接続されたことを特徴とする遊技設備。
【発明の詳細な説明】
【０００１】
【発明の属する技術分野】
本発明は遊技結果の賞として遊技媒体を払い出す遊技設備であって、遊技機を交換しても遊技媒体の払出装置を共通に使用し得る遊技設備に関する。
【０００２】
【従来の技術】
従来の遊技設備は、遊技媒体としての球を払い出す払出装置を複数のパチンコ機で使用する構造とし、それぞれのパチンコ機は遊技中の入賞に対する賞球数とアウト球数との加減算して記憶するとともに表示し、遊技者がパチンコ機の前面の精算スイッチを操作すると、払出装置が精算スイッチの操作されたパチンコ機の皿に球を払い出している（例えば、特許文献１参照）。
【０００３】
【特許文献１】
特公昭５９−１０２３２号公報（第２頁左欄第４２行−右欄第９行、右欄第４２−末行、第４頁左欄第２２−３２行、第３図）
【０００４】
【発明が解決しようとする課題】
しかしながら、従来例は入賞ごとの賞球としての球が皿に払い出されないので、遊技者が遊技の進行に伴う賞球の増減を実感することができず、遊技性に欠けるという問題点がある。
【０００５】
そこで、本発明は、遊技媒体を使用する遊技機を交換しても、遊技中に遊技媒体を払い出す払出装置が共通に使用できる遊技設備を提供するものである。
【０００６】
【課題を解決するための手段】
本発明にあっては、遊技媒体を払い出す払出装置と払出装置から払い出された遊技媒体を用いる遊技機とが互いに別々に分離した形態に構成される一方、払出装置が遊技媒体の払出機構と払出機構を制御する払出制御装置とを備え、遊技機が払出装置から払い出された遊技媒体を受け取る受皿と受皿からの遊技媒体を用いた遊技結果の賞として遊技媒体の払い出しを制御する遊技制御装置とを備え、払出制御装置と遊技制御装置とが互いに通信可能に接続されたことによって、または、遊技媒体を払い出す払出装置と払出装置から払い出された遊技媒体を用いる遊技機とが互いに別々に分離した形態に構成される一方、払出装置が遊技媒体の払出機構と払出機構を制御する払出制御装置と有価物の挿入口と挿入された有価物による制御を行う貸出制御装置とを備え、遊技機が払出装置から払い出された遊技媒体を受け取る受皿と受皿からの遊技媒体を用いた遊技結果の賞として遊技媒体の払い出しを制御する遊技制御装置とを備え、払出制御装置と遊技制御装置とが互いに通信可能に接続される一方、払出制御装置と貸出制御装置とが互いに通信可能に接続されたことによって、遊技機を交換しても、払出装置を交換することなく、交換後の新たな遊技機の遊技制御装置と交換しない払出装置の払出制御装置との接続を行うことで、払出装置が共通に使用できる。また、本発明にあっては、払出制御装置と貸出制御装置とが単一体に形成されれば、払出制御装置と貸出制御装置との電気部品が共通に使用できる。また、本発明にあっては、遊技媒体を払い出す払出装置と払出装置から払い出された遊技媒体を用いる遊技機と払出装置に遊技媒体の貸し出しを促す貸出装置とが互いに別々に分離した形態に構成される一方、払出装置が遊技媒体の払出機構と払出機構を制御する払出制御装置とを備え、遊技機が払出装置から払い出された遊技媒体を受け取る受皿と受皿からの遊技媒体を用いた遊技結果の賞として遊技媒体の払い出しを制御する遊技制御装置とを備え、貸出装置が有価物の挿入口と挿入された有価物による制御を行う貸出制御装置とを備え、払出制御装置と遊技制御装置とが互いに通信可能に接続される一方、払出制御装置と貸出制御装置とが互いに通信可能に接続されたことによって、遊技機を交換しても、払出装置と貸出装置とを交換することなく、交換後の新たな遊技機の遊技制御装置と交換しない払出装置の払出制御装置との接続を行うことで、払出装置が共通に使用できる。
【０００７】
【発明の実施の形態】
図１−図３は第１実施形態であって、図１は遊技設備を分解して模式的に示し、図２は遊技設備の平面を示し、図３は遊技設備における球払出制御の処理を示す。
【０００８】
図１に示すように、払出装置２と遊技機としてのパチンコ機３と貸出装置４とが互いに別々に分離された形態に構成される。図２に示すように、これらの払出装置２とパチンコ機３と貸出装置４とが遊技店の島と呼ばれる遊技機設置設備１に設置される場合、パチンコ機３が払出装置２の前側に配置され、貸出装置４が払出装置２とパチンコ機３との左側に配置される。図１に戻り、第１実施形態では、払出装置２と貸出装置４とが遊技機設置設備１に取り付けられ、パチンコ機３が払出装置２にヒンジ８；９；１９；２０で着脱可能に取り付けられる。
【０００９】
払出装置２は遊技媒体としての球を払い出す装置であって、装置枠５にタンク６、払出機構７、ヒンジ８；９を備える。タンク６は遊技機設置設備１における図外の補給系統から供給される球を貯蔵する。払出機構７は電磁ソレノイドまたはモータのような電気で駆動するアクチュエータ１０を払出制御し、そのアクチュエータ１０の動作で払い出される球を検出した計数器１１が払出制御装置１２と遊技制御装置２２および貸出制御装置２９に出力し、払出制御装置１２が計数器１１からの計数信号をカウントアップした値が設定払出数と一致するか、または、計数信号で設定払出数をカウントダウンした値が「０」になるかで、アクチュエータ１０を停止制御する。上記アクチュエータ１０の動作で払い出された球は払出装置２の払出口１３からパチンコ機３の受皿１７に裏側から払い出される。
【００１０】
パチンコ機３は払出装置２から払い出された球を用いる遊技機であって、遊技機枠１５の前面に透過性パネル１６、受皿１７、球発射操作機構１８、ヒンジ１９；２０を備え、内部に遊技盤２１を交換可能に格納し、遊技機枠１５の裏側または遊技盤２１の裏側に遊技制御装置２２を備える。受皿１７の前面には貸出操作部２３と返却操作部２４および残高表示器２５を備える。貸出操作部２３と返却操作部２４および残高表示器２５は貸出制御装置２９に配線で接続される。そして、パチンコ機３の下側のヒンジ１９に形成されたヒンジ孔１９ａを払出装置２の下側のヒンジ８に設けられたヒンジ軸８ａに回転可能に装着し、パチンコ機３の上側のヒンジ２０に設けられたヒンジ軸２０ａを払出装置２の上側に設けられたヒンジ９のヒンジ孔９ａに回転可能に装着することで、パチンコ機３が払出装置２の前側に取り付けられる。この状態において、払出装置２の上側のヒンジ９におけるヒンジ孔９ａを開放操作し、当該ヒンジ孔９ａからパチンコ機３の上側のヒンジ２０におけるヒンジ軸２０ａを解放した後に、パチンコ機３を上方に持ち上げて、パチンコ機３の下側のヒンジ１９におけるヒンジ孔１９ａを払出装置２の下側のヒンジ８におけるヒンジ軸８ａから引き抜くことで、パチンコ機３が払出装置２から取り外せる。つまり、パチンコ機３が払出装置２にヒンジで着脱可能に取り付けられる。
【００１１】
貸出装置４は払出装置２に球の貸し出しを促す装置であって、前面に挿入口２７を備え、内部に情報読取器２８や貸出制御装置２９を備える。そして、払出装置２とパチンコ機３と貸出装置４とが遊技機設置設備１に設置された場合、払出制御装置１２と遊技制御装置２２とが配線で互いに通信可能に接続され、払出制御装置１２と貸出制御装置２９とが配線で互いに通信可能に接続される一方、パチンコ機３の前面と貸出装置４の前面とが互いに左右に並んだ形態となり、払出装置２はパチンコ機３で覆われた状態でパチンコ機３の前側から見えない形態となる（図２参照）。貸出操作部２３と返却操作部２４および挿入口２７は払出装置２を貸出装置４からの球の貸出に使用する場合における払出装置２の操作部を構成する。
【００１２】
そして、払出制御装置１２と遊技制御装置２２および貸出制御装置２９が電力供給で起動し、遊技者が図外のプリペイドカードを挿入口２７に挿入すると、情報読取器２８が挿入されたプリペイドカードに書き込まれた金額情報を読み取って貸出制御装置２９に出力する。その状態において、遊技者が貸出操作部２３を操作し、図外の球貸スイッチが球貸操作信号を貸出制御装置２９に出力すると、貸出制御装置２９が読み取った金額情報の範囲内での球貸スイッチの操作回数に基づく払出数を含む球貸払出信号を払出制御装置１２に出力する。これによって、払出制御装置１２がアクチュエータ１０を払出制御し、払出機構７から貸球としての球が受皿１７に払い出される。
【００１３】
このように受皿１７に球が存在する状態において、遊技者が球発射操作機構１８を操作し、球発射操作機構１８が操作量を遊技制御装置２２に出力すると、遊技制御装置２２がパチンコ機３の内部に設けられた図外の発射機構を駆動し、発射機構が受皿１７から供給された球を１個ずつ操作量に応じた発射力で遊技盤２１のガイドレール３１で囲まれた内側の遊技領域に向けて発射する。この発射された球が遊技領域における入賞部品３２に入賞すると、その入賞した球を検出した球検出器３３が信号を遊技制御装置２２に出力し、遊技制御装置２２が入賞に基づく払出数を含む賞球払出信号を払出制御装置１２に出力する。これによって、払出制御装置１２がアクチュエータ１０を払出制御し、払出機構７から賞球としての球が受皿１７に払い出される。
【００１４】
図３を参照し、遊技設備における払出制御装置１２と遊技制御装置２２および貸出制御装置２９からなる制御系統の球払出の処理について説明する。ステップ１０１で貸出通信処理が行われ、ステップ１０２で賞球通信処理が行われ、ステップ１０３で貸出球残が有るか否かを判断し、貸出球残有りの場合はステップ１０４で賞球中信号オフ処理を行い、ステップ１０５で貸球払出処理を行って、処理を終わる。ステップ１０３の判断の結果、貸出球残無しの場合はステップ１０６で賞球残が有るか否かを判断し、賞球残無しの場合は処理を終わり、賞球残ありの場合はステップ１０７で賞球中信号オン処理を行い、ステップ１０８で賞球払出処理を行って、処理を終わる。つまり、払出制御装置１２は貸出制御装置２９からの貸球払出動作中は遊技制御装置２２からの賞球払出動作を行わず、遊技制御装置２２からの賞球払出動作中は貸出制御装置２９からの貸球払出動作を行わない。賞球中信号は計数器１１からの計数信号とともに遊技制御装置２２および貸出制御装置２９に出力される。これによって、貸出制御装置２９は賞球中信号がオフの場合に計数信号をカウントすることで貸出球が正常に払い出されたかを管理することができる。また、遊技制御装置２２は賞球中信号がオンの場合に計数信号をカウントすることで賞球が正常に払い出されたかを管理することができる。すなわち、賞球中信号は払い出された球による計数信号の変化が、貸出に起因するものの結果であるか、賞球に起因するものの結果であるかの遊技制御装置２２および貸出制御装置２９への識別信号の役割を果たしている。要するに、払出制御装置１２と貸出制御装置２９との通信は遊技者の貸出操作部２３の操作に起因して発生し、払出制御装置１２と遊技制御装置２２との通信はパチンコ機３の入賞部品３２への球の入賞に起因して発生する。
【００１５】
第１実施形態によれば、パチンコ機３は入賞の発生に伴う賞球払出信号を払出制御装置１２に出力するので、入賞ごとの賞球としての球が受皿１７に払い出され、遊技者が遊技の進行に伴う賞球の増減を実感することができる。このパチンコ機３が払出装置２にヒンジ８；９；１９；２０で着脱可能に取り付けられているので、パチンコ機３を交換しても、払出装置２と貸出装置４とが共通に使用できる。また、貸出操作部２３と返却操作部２４および残高表示器２５は貸出制御装置２９に接続されているので、遊技者による貸出操作部２３の操作や遊技者による返却操作部２４の操作、および、残高表示器２５による表示の結果、貸出制御装置２９が払出装置２に貸出指示を行う。払出装置２の払出機構７やタンク６および払出制御装置１２がパチンコ機３で前側から見えないように覆われても、遊技者が払出装置２に対する貸出指示を行うことができる。払出装置２が遊技媒体として球を払い出す構造であるので、遊技媒体としてメダルを払い出す構造に比べて、球を自重落下で払い出すことができ、払出装置２の構造が簡素化できる。
【００１６】
図４は第２実施形態に係る遊技設備の平面を示し、払出装置２と貸出装置４とが単一のユニット構成体３５として形成された形態であって、ユニット構成体３５のパチンコ機３の前面と隣り合う前面に図１の挿入口２７を設け、払出制御装置１２と貸出制御装置２９とを単一体に形成すれば、払出制御装置１２と貸出制御装置２９とを配線で接続する作業が不要となる。この場合、挿入口２７は払出装置２を貸出装置４からの球の貸出に使用する場合における払出装置２の前面に設けられた操作部となる。払出制御装置１２と貸出制御装置２９とを単一体に形成するとは、装置ケースを１つに形成する、回路基板を１つに形成して１つの装置ケースに収める、１つの装置ケースに収められた回路基板に実装される制御の頭脳部を構成するマイクロコンピュータを１つにする、の３態様が適用される。マイクロコンピュータを１つにすれば、当該マイクロコンピュータを動作するためのプログラムの形成で、払出制御装置１２と貸出制御装置２９との通信を省略することができる。
【００１７】
図５は第３実施形態に係る遊技設備の分解した外観を示し、払出装置２と貸出装置４とからなる単一のユニット構成体３５の横幅を細くした形態であって、ユニット構成体３５の前面に払出口１３と挿入口２７と情報表示部３６とを備える。払出口１３はユニット構成体３５の前面に対し左右上下に回転可能な構造であって、球を受皿１７に前側から払い出す。情報表示部３６は液晶表示器のような電気的に表示形態を変えられる画像を表示画面に表示する画像表示器３７を備える。画像表示器３７はカード情報、貸出中や賞球中の動作状態情報、貸出中や賞球中のそれぞれにおける払出残数情報、大当たり回数のような遊技情報、ユニット構成体３５における動作異常情報などを払出制御装置１２や貸出制御装置２９からの制御で表示する。ユニット構成体３５の裏面にユニット構成体３５の内部における払出機構７の球受口３８を備える。球受口３８には遊技機設置設備１における補給系統からの球供給ノズル３９が接続される。パチンコ機３は図１のヒンジ８；９に相当するヒンジ４０；４１を備えた固定枠４２に取り付けられる。固定枠４２は遊技機設置設備１に取り付けられる。図５では図１のタンク６が無くてもよい。
【００１８】
図示は省略したが、払出装置２とパチンコ機３とを連結するヒンジ８；９；１９；２０は左側でなく右側に設け、パチンコ機３を右側に片開きできるようにしてもよい。また、払出制御装置１２と遊技制御装置２２および貸出制御装置２９の少なくとも１つを装置枠５に取り付けてもよい。この場合、払出制御装置１２と貸出制御装置２９とを１つにまとめた制御ユニットとして構成し、その制御ユニットを装置枠５に取り付けてもよい。払出装置２からタンク６を除去し、払出機構７の上部に遊技機設置設備１における補給系統の球供給部を接続してもよい。また、タンク６および払出機構７を装置枠５の内側でなく装置枠５の外側に取り付けてもよい。パチンコ機３をスロットマシンに代えても同様に適用することができる。遊技媒体はメダルでもよい。
【図面の簡単な説明】
【図１】第１実施形態の遊技設備を分解して外観的に示す模式図。
【図２】第１実施形態の遊技設備を示す平面図。
【図３】第１実施形態の球払出制御の処理を示すフローチャート。
【図４】第２実施形態の遊技設備を示す平面図。
【図５】第３実施形態の遊技設備を示す分解斜視図。
【符号の説明】
１  遊技機設置設備
２  払出装置
３  パチンコ機
４  貸出装置
８；９；１９；２０；４０；４１  ヒンジ
【図１】
2004201747.tif 000003
【図２】
2004201747.tif 000004
【図３】
2004201747.tif 000005
【図４】
2004201747.tif 000006
【図５】
2004201747.tif 000007